(57)【特許請求の範囲】
【請求項１】
第１シンボルを反復して得られた一対のシンボルを与えられた長さを有する準直交符号で拡散して第１アンテナを通じて送信し、第２シンボル及び前記第２シンボルを反復して得られた第２シンボルの反転シンボルを前記準直交符号で拡散して第２アンテナを通じて、前記第１アンテナの送信とは独立に送信する符号分割多重接続通信システムのチャネル拡散方法において、
前記第１シンボルを反復して得られた一対のシンボルのうち一つを前記準直交符号で拡散し、前記一対のシンボルのうち他のシンボルを準直交符号の残り部分で拡散する過程と、
前記第２シンボルを前記準直交符号の部分で拡散し、前記第２シンボルの反転シンボルを前記準直交符号の残り部分で拡散する過程と、からなることを特徴とするチャネル拡散方法。
【請求項２】
前記準直交符号の拡散過程が、
１つのシンボルを前記準直交符号の前半周期チップ信号で拡散し、他のシンボルを前記準直交符号の後半周期チップ信号で拡散して、一つの準直交符号の区間で二つのシンボルを拡散する過程からなることを特徴とする請求項１記載のチャネル拡散方法。
【請求項３】
前記準直交符号を生成するためのインデックスを入力して対応されるマスク及びウォルシ符号インデックスを生成する過程と、
前記マスクインデックスに対応する前記準直交符号のマスクを生成し、前記ウォルシ符号のインデックスに対応するウォルシ符号を生成する過程と、
前記生成された準直交符号のマスクとウォルシ符号とを混合することによって生成される準直交符号を前記拡散符号として出力する過程と、をさらに備えることを特徴とする請求項２記載のチャネル拡散方法。
【請求項４】
第１アンテナ及び第２アンテナを備えて直交伝送ダイバーシティ機能を行う符号分割多重接続通信システムにおいて、
第１シンボルを反復して得られた一対のシンボルを与えられた長さを有する準直交符号で拡散して第１アンテナを通じて送信し、前記一対のシンボルのうち一つを前記準直交符号の部分で拡散し、前記一対のシンボルのうち他のシンボルを準直交符号の残り部分で拡散する第１送信器と、
第２シンボル及び前記第２シンボルを反復して得られた第２シンボルの反転シンボルを前記準直交符号で拡散して第２アンテナを通じて、前記第１アンテナの送信とは独立に伝送し、前記第２シンボルを前記準直交符号の部分で拡散し、前記反転シンボルを前記準直交符号の残り部分で拡散する第２拡散器と、を備えることを特徴とするチャネル拡散装置。
【請求項５】
前記第１及び第２拡散器が、１つのシンボルを前記準直交符号の前半周期チップ信号で拡散し、他のシンボルを前記準直交符号の後半周期チップ信号で拡散して、一つの準直交符号の区間で二つのシンボルを拡散することを特徴とする請求項４記載のチャネル拡散装置。
【請求項６】
前記準直交符号を生成するためのインデックスを入力して対応されるマスク及びウォルシ符号インデックスを生成する制御器と、
前記マスクインデックスに対応する前記準直交符号のマスクを生成するマスク生成器と、
前記ウォルシ符号インデックスに対応するウォルシ符号を生成するウォルシ符号生成器と、
前記生成された準直交符号のマスクとウォルシ符号とを混合して前記準直交符号を生成して前記拡散符号として出力する回路と、をさらに備えることを特徴とする請求項５記載のチャネル拡散装置。
【請求項７】
符号分割多重接続通信システムのチャネル拡散方法において、
入力シンボルを２回反復して一対の第１シンボルを生成する過程と、
入力信号を反復したシンボルとこのシンボルを反転させたシンボルとから、一対の第２シンボルを生成する過程と、
一対の第１シンボルを準直交符号で拡散して第１アンテナを通じて送信する過程と、
一対の第２シンボルを準直交符号で拡散して第２アンテナを通じて伝送する過程と、からなることを特徴とするチャネル拡散方法。
【請求項８】
前記一対の第１シンボルを拡散する処理は、前記一対の第１シンボルのうち一つを準直交符号で拡散し、前記第１シンボルのうち他のシンボルを前記準直交符号で拡散する処理であり、
前記一対の第２シンボルを拡散する処理は、前記一対の第２シンボルのうち一つを準直交符号で拡散し、一対の第２シンボルのうち他のシンボルを前記準直交符号で拡散する処理であることを特徴とする請求項７記載のチャネル拡散方法。
【請求項９】
前記準直交符号は、一対の第１シンボルと一対の第２シンボルを拡散するために異なることを特徴とする請求項７記載のチャネル拡散方法。
【請求項１０】
一対の第１シンボルのうち一つを準直交符号の部分で拡散し、一対の第１シンボルのうち他のシンボルを前記準直交符号の残り部分で拡散することを特徴とする請求項７記載のチャネル拡散方法。
【請求項１１】
一対の第２シンボルのうち一つを準直交符号の部分で拡散し、一対の第２シンボルのうち他のシンボルを前記準直交符号の残り部分で拡散することを特徴とする請求項７記載のチャネル拡散方法。
【発明の詳細な説明】
【０００１】
【発明の属する技術分野】
本発明は、符号分割多重接続通信システムのチャネル拡散装置及び方法に関し、特に、直交伝送ダイバーシティ（Ｏｒｔｈｏｇｏｎａｌ Ｔｒａｎｓｍｉｔ Ｄｉｖｅｒｓｉｔｙ：ＯＴＤ）を使用する符号分割多重接続通信システムのチャネル拡散装置及び方法に関する。
【０００２】
【従来の技術】
通常、符号分割多重接続（Ｃｏｄｅ Ｄｉｖｉｓｉｏｎ Ｍｕｌｔｉｐｌｅ Ａｃｃｅｓｓ：ＣＤＭＡ）通信システムは、容量増大のための一方法として、直交符号を使用してチャネル区分（ｃｈａｎｎｅｌ ｓｅｐａｒａｔｉｏｎ）を行う方法を採用している。このように直交符号によってチャネル区分を行う例には、ＩＭＴ−２０００システムの順方向リンクがあり、逆方向リンクでも時間同期調整（ｔｉｍｅ ａｌｉｇｎｍｅｎｔ）を通じて適用できる。この時、一般に用いられる直交符号はウォルシ符号（Ｗａｌｓｈ ｃｏｄｅ）である。
【０００３】
かかる例において、使用可能な直交符号の数は、変調方法及び最小データ伝送率（ｍｉｎｉｍｕｍ ｄａｔａ ｒａｔｅ）によって定められる。しかし、ＩＭＴ−２０００システムでは、性能改善のために実使用者に割り当てるチャネルを増加させようとする。このため、次世代ＣＤＭＡシステムでは、多数の共通チャネル（ｃｏｍｍｏｎ ｃｈａｎｎｅｌ）と専用チャネル（ｄｅｄｉｃａｔｅｄ ｃｈａｎｎｅｌ）を備え、これらのチャネルを移動端末に割り当てることによってチャネル容量の増大を図る方式を採択している。
【０００４】
しかし、前記方式においても、チャネル使用量の増大に伴って使用可能な直交符号の数が制限される。従って、チャネル容量を増加させるにも拘わらず、使用可能なウォルシ直交符号数の制限によってチャネル容量の増大に制限を有することになる。このような問題点を解決するための方法として、前記直交符号に最小干渉（ｍｉｎｉｍｕｍ ｉｎｔｅｒｆｅｒｅｎｃｅ）を与え、可変データ伝送率（ｖａｒｉａｂｌｅ ｄａｔａ ｒａｔｅ）についても最小干渉が与えられる準直交符号（Ｑｕａｓｉ Ｏｒｔｈｏｇｏｎａｌ Ｃｏｄｅ）をチャネル拡散符号として使用する方法が提案された。
【０００５】
ＩＭＴ−２０００システムにおいて、１ｘシステムは拡散比率１（ｓｐｒｅａｄｉｎｇ ｒａｔｅ１）を有する拡散コードグループを使用し、３ｘシステムは拡散比率３（ｓｐｒｅａｄｉｎｇ ｒａｔｅ３）を有する拡散コードグループを使用する。従って、前記１ｘシステムにおいて、前記拡散符号生成器は、最大長さ１２８の拡散符号を貯蔵して指定される拡散符号インデックスに対応する拡散符号を生成し、この拡散符号で符号シンボルを拡散する。また、３ｘシステムにおいて、前記拡散符号生成器は、前記１ｘシステムで使用した拡散符号と異なる最大長さ２５６の拡散符号を貯蔵して指定される拡散符号インデックスに該当する拡散符号を生成し、この拡散符号で符号シンボルを拡散する。
【０００６】
ＩＭＴ−２０００システムは伝送ダイバーシティ方式（Ｔｒａｎｓｍｉｔ Ｄｉｖｅｒｓｉｔｙ）を支援し、通常、直交伝送ダイバーシティ（Ｏｒｔｈｏｇｏｎａｌ Ｔｒａｎｓｍｉｔ Ｄｉｖｅｒｓｉｔｙ：ＯＴＤ）が使用される。また、前記ＩＭＴ−２０００システムはマルチキャリア方式を支援できる。前記ＩＭＴ−２０００システムは、直接拡散（Ｄｉｒｅｃｔ Ｓｐｒｅａｄｉｎｇ：ＤＳ）方式において、状況によって直交伝送ダイバーシティを採用しても良く、採用しなくても良い。また、３ｘシステムにおいて、ＩＭＴ−２０００システムは、マルチキャリア方式と直接拡散方式を支援できるが、直接拡散方式において、直交伝送ダイバーシティ方式を採用しても良く、採用しなくても良い。
【０００７】
前記直交伝送ダイバーシティ構造は、符号化したシンボルをアンテナ１とアンテナ２に分けて入力させた後、各々のアンテナ１とアンテナ２に入力された信号をデマルチプレクサを通じて二つの成分に分けて相異なるアンテナに伝送する。この時、各々のアンテナ１とアンテナ２に入力された信号がデマルチプレクサを通じて二つの成分に再び分けられるために、シンボル速度は半分に低減する。従って、前記半分に低減されたシンボル速度を全体シンボル速度と合わせるために前記分けて入力されたシンボルを反復しなければならなく、これによって得られた一対のシンボル（元のシンボルと反復されたシンボル）が直交拡散される。この時、前記アンテナ１とアンテナ２に各々入力された信号はデマルチプレクサで二つの成分に再び分けられ、従って、元の信号から総４成分が得られる。これら４成分は独立した直交拡散符号によって直交拡散される。
【０００８】
前記直交伝送ダイバーシティ構造において、各々の成分シンボルは直交拡散される前にシンボル反復過程を経る。このように反復されたシンボルが各々の拡散因子（ｓｐｒｅａｄｉｎｇ ｆａｃｔｏｒ）で拡散されると、一つのシンボルを二倍の拡散因子で拡散したのと同一な効果が得られる。これを受信端で逆拡散する時には二倍の拡散因子区間のチップを累積してマルチプレクシングを行う。この時、前記直交伝送ダイバーシティ構造で前記準直交符号を使用する拡散構造を有する時、各成分チップを二倍の拡散因子で拡散する効果を有するため、準直交符号の相関度性質が変わってしまう。実際に、長さ２５６の準直交符号を使用する時、２５６区間の相関度は±１６、±１６ｊである。従って、前記準直交符号を使用する拡散構造で使用される準直交符号を選択する時、全ての直交伝送ダイバーシティ構造では二倍の拡散因子で拡散する効果を考慮すべきである。
【０００９】
図１は、前記直交伝送ダイバーシティを使用する送信器の構造を示す。図１を参照すれば、まず、入力データがチャネル符号器１１０で符号化されてインタリーバ１３０でインタリービングされた後、加算器１２０に入力される。これと同時に、長符号（Ｌｏｎｇ Ｃｏｄｅ）生成器１００が長符号を生成して出力すると、これら出力された長符号はデシメータ１０５に入力され、デシメータ１０５は前記長符号をデシメーション（ｄｅｃｉｍａｔｉｏｎ）して出力する。このようにデシメーションされた長符号が加算器１２０に入力されると、加算器１２０は、前記デシメーションされた長符号と前記インタリービングされた符号シンボルとを加算してデマルチプレクサ１４０に入力させ、このデマルチプレクサ１４０は入力された信号をアンテナ１とアンテナ２にデマルチプレクシングする。
【００１０】
これらのアンテナ１とアンテナ２にデマルチプレクシングされた信号は、デマルチプレクサ１５０、１５５に各々入力される。デマルチプレクサ１５０は入力されたＩ成分信号をＩ１とＱ１成分とに分けて出力し、これらのＩ１成分とＱ１成分はシンボル反復器１６０，１６２に各々入力される。一方、デマルチプレクサ１５５は入力されたアンテナ２成分信号をＩ２成分とＱ２成分とに分けて出力し、これらのＩ２成分とＱ２成分はシンボル反復器１６４，１６６に各々入力される。この時、前記シンボル反復器１６０にＩ１信号が入力されると、シンボル反復器１６０は入力信号を２回反復して出力する。また、シンボル反復器１６２にＱ１信号が入力されると、シンボル反復器１６２は入力信号を２回反復して出力する。一方、前記シンボル反復器１６４にＩ２信号が入力されると、シンボル反復器１６４は入力信号を一回出力し、反転させた入力信号（ｉｎｖｅｒｔｅｄ ｉｎｐｕｔ ｓｉｇｎａｌ）を出力する。ここで、前記反転させたシンボルを反転シンボル（ｉｎｖｅｒｔｅｄ ｓｙｍｂｏｌ）と称する。また、前記シンボル反復器１６６にＱ２信号が入力されると、シンボル反復器１６６は入力信号を一回出力し、反転させた入力信号を出力する。ここでも、前記反転させたシンボルを反転シンボルと称する。このように前記デマルチプレクサ１５０によって分離されたアンテナ１信号とアンテナ２信号間の直交性を維持するために、前記シンボル反復器１６０，１６２とシンボル反復器１６４，１６６は異なる方式で入力シンボルを反復する。即ち、前記シンボル反復器の動作からも判るように、シンボル反復器１６０，１６２は既存のシンボル反復と略同一に動作するが、シンボル反復器１６４，１６６は異なる方式でシンボル反復を行う。例えば、シンボル反復器１６４，１６６は、‘１’信号を受信して‘１’（入力シンボル）と‘−１’（反転シンボル）を連続して出力する。
【００１１】
次いで、シンボル反復器１６０，１６２から出力された信号が拡散器１７０に入力され、これと同時に、拡散符号生成器１８０が前記入力された拡散符号インデックスｋ１に該当する拡散符号を生成して拡散器１７０に提供すると、拡散器１７０は、前記シンボル反復器１６０，１６２から出力された信号を前記拡散符号で拡散して出力する。一方、シンボル反復器１６４，１６６から出力された信号が拡散器１７５に入力され、これと同時に、拡散符号生成器１８５が前記入力された拡散符号インデックスｋ２に該当する拡散符号を生成して拡散器１７５に提供すると、拡散器１７５は、前記シンボル反復器１６４，１６６から出力された信号を前記拡散符号で拡散して出力する。
【００１２】
図２は前記直交伝送ダイバーシティを使用する受信器の構造を示す。図２を参照すれば、まず、入力データｒＩ１、ｒＱ１が逆拡散器２７０に入力され、これと同時に、拡散符号生成器２８０が入力された拡散符号インデックスｋ１に該当する拡散符号を逆拡散器２７０に提供すると、逆拡散器２７０は、前記入力されたｒＩ１、ｒＱ１を前記拡散符号生成器２８０から入力された拡散符号を用いて逆拡散してマルチプレクサ２５０に入力させる。一方、入力データｒＩ２、ｒＱ２が逆拡散器２７５に入力され、これと同時に、拡散符号生成器２８５が入力された拡散符号インデックスｋ２に該当する拡散符号を逆拡散器２７５に提供すると、逆拡散器２７５は前記入力されたｒＩ２、ｒＱ２を前記拡散符号生成器２８５から入力された拡散符号を用いて逆拡散してマルチプレクサ２５５に入力させる。
【００１３】
前記逆拡散器２７０から出力された信号がマルチプレクサ２５０に入力されると、マルチプレクサ２５０は、入力された信号をマルチプレクシングし、アンテナ１成分を出力してマルチプレクサ２４０に入力させる。また、前記逆拡散器２７５から出力された信号がマルチプレクサ２５５に入力されると、マルチプレクサ２５５は、入力された信号をマルチプレクシングし、アンテナ２成分を出力してマルチプレクサ２４０に入力させる。この時、マルチプレクサ２４０は入力されたアンテナ１成分とアンテナ２成分をマルチプレクシングして加算器２２０に出力する。これと同時に、長符号生成器２００で長符号を生成してデシメータ２０５に入力させると、デシメータ２０５は前記入力された長符号をデシメーションして出力する。このように出力されたデシメートされた長符号が加算器２２０に入力されると、加算器２２０は前記デシメートされた長符号と前記マルチプレクサ２４０から出力された符号とを加算してデインタリーバ２３０に入力させる。このデインタリーバ２３０は入力された信号をデインタリービングしてチャネル復号器２１０に出力し、チャネル復号器２１０は入力された信号を復号化して出力する。
【００１４】
図３は前述した直接拡散構造において、直交伝送ダイバーシティを使用しない場合を示している。図３を参照すれば、チャネル符号器３１０が入力データを符号化したシンボルに符号化すると、これら符号化したシンボルはインタリーバ３３０を通じてインタリービングされた後、加算器３２０に入力される。これと同時に、長符号生成器３００が長符号を生成してデシメータ３０５に入力させると、このデシメータ３０５は前記入力された長符号をデシメーションして加算器３２０に入力させる。加算器３２０は前記デシメートされた長符号と前記インタリービングされた符号シンボルとを加算してデマルチプレクサ３４０に入力させ、このデマルチプレクサ３４０は入力された信号をＩ成分とＱ成分とに分けて出力する。これらのＩ成分とＱ成分とに分けられた信号は拡散器３７０に入力され、これと同時に前記拡散符号生成器３８０が入力された拡散符号インデックスｋに該当する拡散符号を生成して拡散器３７０に提供すると、前記拡散器３７０は前記デマルチプレクサ３４０から出力されたＩ信号とＱ信号を前記拡散信号で拡散して出力する。
【００１５】
図４は前記直交伝送ダイバーシティを使用しない受信器の構造を示す。図４を参照すれば、まず、入力データＩ，Ｑ信号が逆拡散器４７０に入力され、これと同時に、拡散符号生成器４８０が入力された拡散符号インデックスｋに該当する拡散符号を生成して逆拡散器４７０に提供すると、逆拡散器４７０は、前記受信された入力データＩ，Ｑ信号を拡散符号生成器４８０から入力された拡散符号を用いて逆拡散してマルチプレクサ４４０に出力する。すると、マルチプレクサ４４０は逆拡散されて入力されたＩ成分とＱ成分をマルチプレクシングして加算器４２０に出力し、これと同時に、長符号生成器４００が長符号を生成してデシメータ４０５に入力し、このデシメータ４０５が前記入力された長符号をデシメートして加算器４２０に出力すると、加算器４２０は前記デシメートされた長符号と前記マルチプレクサ４４０から出力された符号とを加算してデインタリーバ４３０に入力させる。前記デインタリーバ４３０は入力された信号をデインタリービングしてチャネル復号器４１０に入力させ、チャネル復号器４１０は入力された信号を復号化して出力する。
【００１６】
このような拡散構造を有するＩＭＴ−２０００システムはマルチキャリア方式を支援するが、このマルチキャリア方式を使用する移動通信システムで、１ｘシステムは一つのキャリアの１．２５ＭＨｚ帯域で信号を送り、３ｘシステムは三つのキャリアに各々信号を分けて伝送する。この時、各キャリアに独立的に直交拡散符号を割り当てるが、１ｘシステムと３ｘシステムがオーバレイされた時に相異なる長さを有する準直交符号を使用すると、システム間の干渉が大きく発生する恐れがある。ここで、前記１ｘシステムは長さ１２８のマスク関数を使用して準直交符号を生成し、３ｘシステムは長さ２５６のマスク関数を用いて準直交符号を生成すると仮定する。この場合、各々の１．２５ＭＨｚ帯域内で拡散比率１におけるマスク関数を使用する長さ１２８の拡散コードと拡散比率３におけるマスク関数を使用する長さ１２８の拡散コードとの間の相関度性質が保障されないため、拡散比率１におけるマスク関数を使用する使用者と拡散比率３におけるマスク関数を使用する使用者間の干渉が大きく発生してしまう。
【００１７】
前記１ｘシステムが準直交符号を使用し、３ｘシステムが直交符号を使用する時、１ｘ準直交符号使用者（準直交符号ＱＯＦｍ＋Ｗｋを使用）が３ｘ直交符号使用者（Ｗｊ使用）から受ける干渉は式（１）で示せる。
【数１】
0003599708.tif 000002
【００１８】
即ち、前記干渉量は準直交符号の相関度の上限式を満足する。従って、この場合は深刻な問題はない。しかし、１ｘ及び３ｘの両方とも準直交符号使用者である時、式（２）のように１ｘの準直交符号使用者（準直交符号ＱＯＦｍ＋Ｗｋを使用）が３ｘの準直交符号使用者（準直交符号ＱＯＦｍ＋Ｗｋを使用）から受ける干渉は上限式を満足できない。
【数２】
0003599708.tif 000003
【００１９】
この場合、チャネル間の相互干渉が増加する。
従って、前述のように相異なる長さを有する拡散コードグループの準直交符号を使用すると、移動通信システムが相異なる長さを有する拡散コードを貯蔵するようになるため、ハードウェアの複雑さ（ｈａｒｄｗａｒｅ ｃｏｍｐｌｅｘｉｔｙ）が増加してしまう。また、オーバレイ状況で相異なる拡散比率を有する拡散符号を使用すると、両使用者間の干渉性質が悪化されて性能劣化を招くことになる。
【００２０】
図５は、マルチキャリアを使用する３ｘシステムの構造を示している。図５を参照すれば、まず、チャネル符号器５００が入力信号を符号化したシンボルに符号化してインタリーバ５０５に入力させると、インタリーバ５０５は前記チャネル符号器５００から入力された符号化したシンボルをインタリービングして長符号拡散器５１０に入力させる。この長符号拡散器５１０に入力された信号は長符号生成器５１５から出力される長符号によって拡散される。これらの信号は、デマルチプレクサ５８０に入力されて３成分に分けられた後、再びＩ成分とＱ成分とに分けられて各々拡散器５２０，５２２，５２４に入力される。
【００２１】
まず、拡散器５２０がデマルチプレクサ５８０から信号を受信し、これと同時に、拡散符号生成器５４０が使用者に割り当てられるチャネルを表示する拡散符号インデックスｋに該当する長さ２５６の拡散符号を生成して拡散器５２０に提供すると、前記拡散器５２０は、前記入力された信号の各シンボルを特定チップ（ｃｈｉｐ −２５６／２ｎ，０≦ｎ≦６）ほどの拡散符号と演算したチップレート１．２２８８Ｍｃｐｓの処理速度で入力された長符号拡散された信号を拡散出力する。これら出力された拡散信号は再び短符号拡散器（ＰＮ ｓｐｒｅａｄｅｒ）５３０に入力され、これと同時に短符号生成器５５０は短符号（ｓｈｏｒｔ ＰＮ ｃｏｄｅ）を生成して１．２２８８Ｍｃｐｓのチップ速度で出力する。前記短符号生成器５５０から出力された短符号は短符号拡散器５３０に入力されて入力信号と短符号拡散される。
【００２２】
図６はマルチキャリアを使用する３ｘシステムの受信器の構造を示す。図６を参照すれば、前記出力された拡散信号が短符号逆拡散器６３０に入力され、これと同時に、短符号生成器６５０が短符号を生成して短符号逆拡散器６３０に１．２２８８Ｍｃｐｓのチップ速度で出力すると、前記短符号逆拡散器６３０はチップ単位に入力信号と短符号とを演算して短符号逆拡散された信号を出力する。
【００２３】
これら短符号逆拡散された信号は逆拡散器６２０に入力され、これと同時に、拡散符号生成器６４０が使用者に割り当てられるチャネルを表示する拡散符号インデックスｋに該当する最大長さ２５６の拡散符号を生成して逆拡散器６２０に提供すると、前記逆拡散器６２０は前記入力された短符号逆拡散された信号の各シンボルを特定チップ（ｃｈｉｐ −２５６／２ｎ，０≦ｎ≦  ６）ほどの拡散符号と演算して特定チップ区間の間加算して出力する。即ち、前記逆拡散器６２０は入力された短符号逆拡散された信号を逆拡散した後マルチプレクサ６８０に印加する。これと同一な方法で、短符号逆拡散器６３２，６３４に入力された信号もマルチプレクサに入力されると、マルチプレクサは、三つの異なる経路に逆拡散されて入力された信号を前記送信器のデマルチプレクサで信号を分けた順序と反対に合わせる。このように合わせられた信号は長符号逆拡散器６１０に入力されて長符号生成器６１５から出力される長符号によって逆拡散される。これら長符号逆拡散された符号はデインタリーバ６０５に入力されてデインタリービングされた後、チャネル復号器６００に入力されて復号化される。
【００２４】
従って、直交伝送ダイバーシティ構造のＣＤＭＡ（Ｃｏｄｅ Ｄｉｖｉｓｉｏｎ Ｍｕｌｔｉｐｌｅ Ａｃｃｅｓｓ）通信システムで各アンテナに伝送される信号を拡散する時に同じシンボルが２回反復されて出力されるにも拘わらず、各シンボルの拡散比率による直交符号を使用してシンボルを拡散しなければならないという問題があった。
【００２５】
【発明が解決しようとする課題】
従って、本発明の目的は、直交伝送ダイバーシティを使用するＣＤＭＡ通信システムで、チップ拡散比率の少なくとも２倍の拡散因子を有する拡散符号で伝送信号を拡散できる装置及び方法を提供することにある。
本発明の他の目的は、ＣＤＭＡ通信システムで相異なる拡散比率を有する二つの使用者が同一の長さを有する拡散符号を使用して伝送信号を拡散できる装置及び方法を提供することにある。
【００２６】
【課題を解決するための手段】
前記の目的を達成するために、本発明は、一つのシンボルを反復して得られた一対のシンボルを与えられた長さを有する準直交符号で拡散して第１アンテナを通じて送信し、前記シンボル及び前記シンボルを反復して得られた前記シンボルの反転シンボルを前記準直交符号で拡散して第２アンテナを通じて同時に送信する符号分割多重接続通信システムのチャネル拡散方法を提供する。この方法は、前記一対のシンボルのうち一つのシンボルを前記準直交符号の部分で拡散し、前記一対のシンボルのうち他のシンボルを準直交符号の残り部分で拡散する過程と、前記シンボルを前記準直交符号の部分で拡散し、前記反転シンボルを前記準直交符号の残り部分で拡散する過程と、からなることを特徴とする。
【００２７】
【発明の実施の形態】
以下、本発明に従う好適な実施形態を添付図面を参照しつつ詳細に説明する。なお、図面中、同一な構成要素及び部分には、可能な限り同一な符号及び番号を共通使用するものとする。
そして、以下の説明では、具体的な特定事項が示しているが、これに限られることなく本発明を実施できることは、当技術分野で通常の知識を有する者には自明である。また、関連する周知技術については適宜説明を省略するものとする。
【００２８】
また、以下の説明において、‘直交拡散’という用語は‘チャネル拡散’という用語と同じ意味として使用される。また、‘同一の長さの拡散符号’という用語は同一の長さを有する準直交符号セットを意味する。
本発明の実施形態では、１ｘシステムと３ｘシステムが同一の長さを有する拡散符号を使用する構造のＩＭＴ−２０００基地局と端末機の拡散及び逆拡散動作について説明するが、異なる長さを有する拡散符号を使用するシステムについても本発明を適用できる。
【００２９】
前記図１乃至図６の送／受信構造において、拡散器構造は、回転器の動作を除いて本発明の実施形態のそれと同一である。以下、その動作について述べる。
図７は、本発明の実施形態によるＣＤＭＡ通信システムの拡散構造を示す図である。以下に説明される準直交符号は、ウォルシ直交符号（Ｗａｌｓｈ  Ｏｒｔｈｏｇｏｎａｌ Ｃｏｄｅ）とＱＯＦマスクとを混合することから生成される符号であり、前記ＱＯＦマスクは、サイン符号（ＱＯＦ ｓｉｇｎ ｃｏｄｅ：ＱＯＦｓｉｇｎ）と位相符号（ＱＯＦ ｐｈａｓｅ ｃｏｄｅ：ＱＯＦｒｏｔ）とから構成される。また、前記位相符号はウォルシ符号のうち特定ウォルシ直交符号と同一な値を有する。
【００３０】
前記図７を参照すれば、ＩとＱが加算器７１０、７１５に各々入力され、これと同時に、第１ウォルシ符号Ｗａｌｓｈ１と符号成分ＱＯＦｓｉｇｎとが加算器７００に入力されて加算される。これら加算された信号は前記加算器７１０と７１５に分けて入力されて前記Ｉ及びＱ成分のシンボルと各々加算された後、回転器７２０に入力される。ここで、前記第１ウォルシ符号Ｗａｌｓｈ１は準直交符号を生成するためのウォルシ符号となる。前記回転器７２０は加算器７１０と７１５から入力された信号を入力されるＱＯＦｒｏｔに応じて回転させて出力する。ここで、前記ＱＯＦｒｏｔは拡散された信号の位相を制御するための信号である。
【００３１】
図８は、送信器で図７のような構造を有する拡散器の回転器７２０の構造を示す図である。図８を参照すれば、前記図７の加算器７１０から出力される信号は、選択器８００のＤ１と選択器８１０のＤ２に入力され、加算器７１５から出力された信号はインバータ８２０と選択器８１０のＤ１に入力される。前記インバータ８２０は、入力信号に‘−１’をかけて反転させて選択器８００のＤ２に入力させる。次いで、選択器８００，８１０は、入力されるＱＯＦｒｏｔが‘０’であれば、Ｄ１に入力された信号を各々出力し、前記ＱＯＦｒｏｔが‘１’であれば各々の選択器はＤ２に入力された信号を出力する。
【００３２】
図９は受信器で図７のような構造を有する拡散器の回転器の構造を示す図である。前記図９を参照すれば、前記図７の加算器７１０から出力される信号は、選択器９００のＤ１とインバータ９２０に入力される。前記インバータ９２０は、入力信号に‘−１’をかけて反転させて選択器９１０のＤ２に入力させる。また、加算器７１５から出力された信号は選択器９００のＤ２と選択器９１０のＤ１に入力される。次いで、選択器９００，９１０は入力されるＱＯＦｒｏｔが‘０’であれば、Ｄ１に入力された信号を各々出力し、前記ＱＯＦｒｏｔが‘１’であれば各々の選択器９００，９１０はＤ２に入力された信号を出力する。
【００３３】
本発明の実施形態では、長さ１２８の準直交数列と長さ２５６の準直交数列を使用し、これは、大韓民国特許出願番号第９９−８８８，９９−１３３９号に開示されている。前記長さ１２８の準直交数列マスク関数と長さ２５６の準直交数列は、１）良好なウォルシ直交符号との全体相関度性質、２）良好な準直交符号間の全体相関度性質、及び３）良好なウォルシ直交符号との部分相関度性質、を有しなければならない。また、良好な準直交符号間の部分相関度性質も有するべきであり、従って、本発明の実施形態では前記条件を満足する優秀な性能を有する長さ１２８の準直交符号と長さ２５６の準直交符号を提供する。
【００３４】
以下の実施形態は、前記直交伝送ダイバーシティを使用する時、準直交数列を使用する構造に対するものである。また、直交伝送ダイバーシティとマルチキャリアシステムを使用する時、準直交数列を使用する構造に対するものである。下記の実施形態において、拡散器を除いて全体システムの動作が同一である。また、相異なる長さを有する拡散符号を処理する過程だけが異なるため、本発明の説明では図７の回転器７２０でのシンボルに対するタイミング図に基づいて説明する。
【００３５】
第１実施形態
第１実施形態において、１ｘシステムの直接拡散構造では長さ１２８の準直交数列を使用し、３ｘシステムの直接拡散構造では長さ２５６の準直交数列を使用し、３ｘマルチキャリアシステムでは長さ２５６の準直交数列を使用する。
まず、１ｘシステムの直接拡散構造で直交伝送ダイバーシティを使用しない場合の拡散器動作について図７の拡散器構造と図１０Ａのタイミング図を参照して説明する。前記第１実施形態において、１ｘシステムの直接拡散構造で直交伝送ダイバーシティを使用しない場合は長さ１２８の拡散符号を使用するが、図７の回転器７２０から出力される符号は図１０Ａのような構成からなる。図７で、ＩとＱ成分のシンボルが加算器７１０と７１５に各々入力されると、図１０Ａに示すように、長さ１２８のウォルシ符号と長さ１２８の準直交数列の符号成分ＱＯＦｓｉｇｎが加算器７００で加算される。これら加算された信号は、加算器７１０，７１５に分けて入力されてＩ成分とＱ成分のシンボルと各々加算された後、回転器７２０に入力される。この回転器７２０は長さ１２８の準直交符号の入力位相成分ＱＯＦｒｏｔに応じて１２８チップの入力信号を回転出力させる。図１０Ａを参照すれば、一つの入力シンボルが長さ１２８のウォルシ直交符号と長さ１２８の準直交符号の符号成分ＱＯＦｓｉｇｎと加算され、長さ１２８の準直交符号の位相成分ＱＯＦｒｏｔによって回転される。
【００３６】
まず、１ｘシステムの直接拡散構造で直交伝送ダイバーシティを使用する場合の拡散動作について図７、図１０Ａ、及び図１０Ｂを参照して説明する。ここで、前記図１０Ａ及び図１０Ｂは、各々アンテナ１及びアンテナ２に対するタイミング図である。
前記第１実施形態において１ｘシステムの直接拡散構造で直交伝送ダイバーシティを使用する場合は長さ１２８の拡散符号を使用するが、アンテナ１において、図７の回転器７２０から出力される拡散された符号は図１０Ｂのような構成からなる。まず、図１のシンボル反復器１６０，１６２によって反復されたシンボルのうち一番目のＩ成分とＱ成分のシンボルが図７の加算器７１０と７１５に各々入力されると、図１０Ｂに示すように、長さ１２８のウォルシ符号と長さ１２８の準直交数列の符号成分ＱＯＦｓｉｇｎが加算器７００で加算される。これら加算された信号は、加算器７１０，７１５に分けて入力されてＩ成分とＱ成分のシンボルと各々加算された後、回転器７２０に入力される。この回転器７２０は長さ１２８の準直交符号の入力位相成分ＱＯＦｒｏｔに応じて１２８チップの入力信号を回転出力させる。
【００３７】
次いで、図１のシンボル反復器１６０，１６２によって反復されたシンボルのうち二番目のＩ成分とＱ成分のシンボルが図７の加算器７１０と７１５に各々入力されると、図１０Ｂに示すように、長さ１２８のウォルシ符号と長さ１２８の準直交数列の符号成分ＱＯＦｓｉｇｎが加算器７００で加算される。これら加算された信号は、加算器７１０，７１５に分けて入力されてＩ成分とＱ成分のシンボルと各々加算された後、回転器７２０に入力される。この回転器７２０は長さ１２８の準直交符号の入力位相成分ＱＯＦｒｏｔに応じて１２８チップの入力信号を回転出力させる。図１０Ｂを参照すれば、図１のシンボル反復器１６０とシンボル反復器１６２によって反復されたシンボルのうち一番目の入力シンボルが長さ１２８のウォルシ符号と長さ１２８の準直交符号の符号成分と加算された後、長さ１２８の準直交符号の位相成分によって回転される。次いで、二番目の入力シンボルも長さ１２８のウォルシ符号と長さ１２８の準直交符号の符号成分と加算された後、長さ１２８の準直交符号の位相成分ＱＯＦｒｏｔによって回転される。
【００３８】
アンテナ２において、図７の回転器７２０から出力される拡散された符号は図１０Ｃのような構成からなる。まず、図１のシンボル反復器１６４，１６６によって反復されたシンボルのうち一番目のＩ成分とＱ成分のシンボルが図７の加算器７１０と７１５に各々入力されると、図１０Ｃに示すように、長さ１２８のウォルシ符号と長さ１２８の準直交数列の符号成分ＱＯＦｓｉｇｎが加算器７００で加算される。これら加算された信号は前記加算器７１０，７１５に分けて出力されて各々Ｉ成分とＱ成分のシンボルと加算された後、回転器７２０に出力される。すると、回転器７２０は長さ１２８の準直交符号の位相成分ＱＯＦｒｏｔに基づいて１２８チップの入力信号を回転出力させる。
【００３９】
図１のシンボル反復器１６４，１６６によって反復されたシンボルのうち二番目のＩ成分とＱ成分のシンボルは、一番目のシンボルに‘−１’をかけて反転させた反転シンボルである。前記反転シンボルが図７の加算器７１０，７１５に各々入力されると、図１０Ｃに示すように、長さ１２８のウォルシ符号と長さ１２８の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。回転器７２０は長さ１２８の準直交符号の入力位相成分ＱＯＦｒｏｔに応じて１２８チップの入力信号を回転出力させる。
【００４０】
図１０Ｃを参照すれば、図１のシンボル反復器１６０とシンボル反復器１６２によって反復されたシンボルのうち一番目の入力シンボルが長さ１２８のウォルシ符号と長さ１２８の準直交符号の符号成分と加算された後、長さ１２８の準直交符号の位相成分ＱＯＦｒｏｔによって回転される。次いで、一番目のシンボルに‘−１’をかけて反転させた二番目のシンボルも長さ１２８のウォルシ符号と長さ１２８の準直交符号の符号成分と加算された後、長さ１２８の準直交符号の位相成分ＱＯＦｒｏｔによって回転される。
【００４１】
次いで、３ｘシステムの直接拡散構造で直交伝送ダイバーシティを使用しない場合の拡散動作について図７及び図１０Ｄを参照して説明する。３ｘ直接拡散構造で直交伝送ダイバーシティを使用しない場合には長さ２５６の拡散符号を使用するが、図７の回転器７２０から出力される拡散された符号は図１０Ｄのような構成からなる。前記図７において、ＩとＱ成分のシンボルが加算器７１０と７１５に各々入力されると、図１０Ｄに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。図１０Ｄを参照すれば、一つの入力シンボルが長さ２５６のウォルシ符号と長さ２５６の準直交符号の符号成分と加算された後、長さ２５６の準直交符号の位相成分ＱＯＦｒｏｔによって回転される。
【００４２】
３ｘシステムの直接拡散構造で直交伝送ダイバーシティを使用する場合の拡散動作について、図７、図１０Ｅ、及び図１０Ｆを参照して説明する。ここで、前記図１０Ｅ及び図１０Ｆは、各々アンテナ１及びアンテナ２に対するタイミング図である。
本実施形態において、３ｘシステムの直接拡散構造で直交伝送ダイバーシティを使用する場合には長さ２５６の拡散符号を使用するが、アンテナ１において、図７の回転器７２０から出力される拡散された符号は図１０Ｅのような構成からなる。まず、図１のシンボル反復器１６０，１６２によって反復されたシンボルのうち一番目のＩとＱ成分のシンボルが加算器７１０と７１５に各々入力されると、図１０Ｅに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。
【００４３】
次いで、図１のシンボル反復器１６０，１６２によって反復されたシンボルのうち二番目のＩ成分とＱ成分のシンボルが図７の加算器７１０と７１５に各々入力されると、図１０Ｅに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。図１０Ｅを参照すれば、図１のシンボル反復器１６０とシンボル反復器１６２によって反復されたシンボルのうち一番目の入力シンボルが長さ２５６のウォルシ符号と長さ２５６の準直交符号の符号成分と加算された後、長さ１２８の準直交符号の位相成分によって回転される。次いで、二番目の入力シンボルも長さ２５６のウォルシ符号と長さ２５６の準直交符号の符号成分と加算された後、長さ２５６の準直交符号の位相成分ＱＯＦｒｏｔによって回転される。
【００４４】
アンテナ２において、図７の回転器７２０から出力される拡散された符号は図１０Ｆのような構成からなる。まず、図１のシンボル反復器１６４，１６６によって反復されたシンボルのうち一番目のＩ成分とＱ成分のシンボルが図７の加算器７１０と７１５に各々入力されると、図１０Ｆに示すように、長さ２５６のウォルシ符号と長さ２５６の準直交数列の符号成分ＱＯＦｓｉｇｎが加算器７００で加算される。これら加算された信号は前記加算器７１０，７１５に分けて出力されてＩ成分とＱ成分のシンボルと各々加算された後、回転器７２０に出力される。すると、回転器７２０は長さ２５６の準直交符号の位相成分ＱＯＦｒｏｔに基づいて２５６チップの入力信号を回転出力させる。
【００４５】
図１のシンボル反復器１６４，１６６によって反復されたシンボルのうち二番目のＩ成分とＱ成分のシンボルは一番目のシンボルに‘−１’をかけて反転させた反転シンボルである。前記反転シンボルが図７の加算器７１０，７１５に各々入力されると、図１０Ｆに示すように、長さ２５６のウォルシ符号と長さ２５６の準直交数列の符号成分ＱＯＦｓｉｇｎが加算器７００で加算される。これら加算された符号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて入力信号を回転出力させる。
【００４６】
図１０Ｆを参照すれば、一番目の入力シンボルが長さ２５６のウォルシ符号と長さ２５６の準直交符号の符号成分と加算された後、長さ２５６の準直交符号の位相成分ＱＯＦｒｏｔによって回転される。次いで、一番目のシンボルに‘−１’をかけて反転させた二番目のシンボルも長さ２５６のウォルシ符号と長さ２５６の準直交符号の符号成分と加算された後、長さ２５６の準直交符号の位相成分ＱＯＦｒｏｔによって回転される。
【００４７】
まず、３ｘマルチキャリアシステムでの拡散動作について図７及び図１０Ｇを参照して説明する。第１実施形態による３ｘマルチキャリア構造で、三つのキャリアに対する拡散器は全て長さ２５６の拡散符号を使用するが、図７の回転器７２０から出力される拡散された符号は図１０Ｇのような構成からなる。まず、ＩとＱ成分のシンボルが図７の加算器７１０と７１５に各々入力されると、図１０Ｇに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。図１０Ｇを参照すれば、一つの入力シンボルが長さ２５６のウォルシ符号と長さ２５６の準直交符号の符号成分と加算された後、長さ２５６の準直交符号の位相成分ＱＯＦｒｏｔによって回転される。
【００４８】
第２実施形態
第２実施形態において、１ｘ直接拡散構造では長さ２５６の準直交符号を使用し、３ｘ直接拡散構造では長さ２５６の準直交符号を使用し、３ｘマルチキャリアシステムでは長さ２５６の準直交符号を使用する。
まず、１ｘシステムの直接拡散構造で直交伝送ダイバーシティを使用しない場合の拡散動作について図７及び図１１Ａを参照して説明する。前記第２実施形態による１ｘ直接拡散構造で直交伝送ダイバーシティを使用しない場合は長さ２５６の準直交拡散符号を使用するが、図７の回転器７２０から出力される符号は図１１Ａのような構成からなる。
【００４９】
まず、ＩとＱ成分のシンボルが図７の加算器７１０と７１５に各々入力されると、図１１Ａに示すように、長さ２５６のウォルシ符号と長さ２５６の準直交数列の符号成分ＱＯＦｓｉｇｎの前の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの前の１２８チップ部分に応じて１２８チップの入力信号を回転出力させる。この過程後、その次のＩとＱ成分のシンボルが加算器７１０，７１５に各々入力されると、図１１Ａに示すように、長さ１２８のウォルシ符号と長さ２５６の準直交数列の符号成分ＱＯＦｓｉｇｎの後の１２８チップ部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８チップ部分に応じて１２８チップの入力信号を回転出力させる。
【００５０】
図１１Ａを参照すれば、一つの入力シンボルが長さ２５６のウォルシ符号の前の１２８部分と長さ２５６の準直交符号の符号成分ＱＯＦｓｉｇｎの前の１２８部分と加算された後、長さ２５６の準直交符号の位相成分ＱＯＦｒｏｔの前の１２８部分によって回転される。そして、その次の入力シンボルも長さ２５６のウォルシ符号の後の１２８部分と長さ２５６の準直交符号の符号成分の後の１２８部分と加算された後、長さ２５６の準直交符号の位相成分ＱＯＦｒｏｔの後の１２８部分によって回転される。
【００５１】
次いで、１ｘシステムの直接拡散構造で直交伝送ダイバーシティを使用する場合の拡散動作について図７、図１１Ｂ及び１１Ｃを参照して説明する。ここで、前記図１１Ｂ及び図１１Ｃは、アンテナ１及びアンテナ２に対する各々のタイミング図である。前記第２実施形態による１ｘ直接拡散構造で直交伝送ダイバーシティを使用する場合は長さ２５６の準直交拡散符号を使用するが、図７の回転器７２０から出力される拡散された符号は図１１Ｂのような構成からなる。
【００５２】
まず、図１のシンボル反復器１６０，１６２によって反復されたシンボルのうち一番目のＩ成分とＱ成分のシンボルが図７の加算器７１０と７１５に各々入力されると、図１１Ｂに示すように、長さ１２８のウォルシ符号と長さ２５６の準直交数列の符号成分ＱＯＦｓｉｇｎの前の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの前の１２８部分に応じて１２８チップの入力信号を回転出力させる。次いで、図１のシンボル反復器１６０，１６２によって反復されたシンボルのうち二番目のＩ成分とＱ成分のシンボルが図７の加算器７１０と７１５に各々入力されると、図１１Ｂに示すように、長さ１２８のウォルシ符号と長さ２５６の準直交数列の符号成分ＱＯＦｓｉｇｎの後の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８部分に応じて１２８チップの入力信号を回転出力させる。
【００５３】
図１１Ｂを参照すれば、図１のシンボル反復器１６０とシンボル反復器１６２によって反復されたシンボルのうち一番目の入力シンボルが長さ１２８のウォルシ符号と長さ２５６の準直交符号の符号成分ＱＯＦｓｉｇｎの前の１２８部分と加算された後、長さ２５６の準直交符号の位相成分ＱＯＦｒｏｔの前の１２８部分によって回転される。次いで、二番目のシンボルも長さ１２８のウォルシ符号と長さ２５６の準直交符号の符号成分ＱＯＦｓｉｇｎの後の１２８部分と加算された後、長さ２５６の準直交符号の位相成分ＱＯＦｒｏｔの後の１２８部分によって回転される。
【００５４】
アンテナ２において、図７の回転器７２０から出力される拡散された符号は図１１Ｃのような構成からなる。まず、図１のシンボル反復器１６４，１６６によって反復されたシンボルのうち一番目のＩ成分とＱ成分のシンボルが図７の加算器７１０と７１５に各々入力されると、図１１Ｃに示すように、長さ１２８のウォルシ符号と長さ２５６の準直交数列の符号成分ＱＯＦｓｉｇｎの前の１２８部分が加算器７００で加算される。これら加算された信号は、前記加算器７１０，７１５に入力されてＩ成分とＱ成分のシンボルと各々加算された後、回転器７２０に入力される。回転器７２０は、長さ２５６の準直交符号の位相成分ＱＯＦｒｏｔの前の１２８部分に基づいて１２８チップの入力信号を回転出力させる。
【００５５】
図１のシンボル反復器１６４，１６６によって反復されたシンボルのうち二番目のＩ成分とＱ成分のシンボルは、一番目のシンボルに‘−１’をかけて反転させた反転シンボルである。前記反転シンボルが図７の加算器７１０，７１５に各々入力されると、図１１Ｃに示すように、長さ１２８のウォルシ符号と長さ２５６の準直交数列の符号成分ＱＯＦｓｉｇｎの後の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８部分に応じて１２８チップの入力信号を回転出力させる。
【００５６】
図１１Ｃを参照すれば、図１のシンボル反復器１６４とシンボル反復器１６６によって反復されたシンボルのうち一番目の入力シンボルが長さ１２８のウォルシ符号と長さ２５６の準直交符号の符号成分の前の１２８部分と加算された後、長さ２５６の準直交符号の位相成分ＱＯＦｒｏｔの前の１２８部分によって回転される。次いで、一番目のシンボルに‘−１’をかけて反転させた二番目の入力シンボルも、長さ１２８のウォルシ符号と長さ２５６の準直交符号の符号成分ＱＯＦｓｉｇｎの後の１２８部分と加算された後、長さ２５６の準直交符号の位相成分ＱＯＦｒｏｔの後の１２８部分によって回転される。
【００５７】
さらに、３ｘシステムの直接拡散構造で直交伝送ダイバーシティを使用しない場合の拡散動作について図７及び図１１Ｄを参照して説明する。前記第２実施形態による３ｘ直接拡散構造で直交伝送ダイバーシティを使用しない場合には長さ２５６の準直交拡散符号を使用するが、図７の回転器７２０から出力される拡散された符号は図１１Ｄのような構成からなる。
【００５８】
まず、ＩとＱ成分のシンボルが図７の加算器７１０と７１５に各々入力されると、図１１Ｄに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔに応じて２５６チップの入力信号を回転出力させる。図１１Ｄを参照すれば、一つの入力シンボルが長さ２５６のウォルシ符号と長さ２５６の準直交符号の符号成分ＱＯＦｓｉｇｎと加算された後、長さ２５６の準直交符号の位相成分ＱＯＦｒｏｔによって回転される。
【００５９】
次いで、３ｘシステムの直接拡散構造で直交伝送ダイバーシティを使用する場合の拡散動作について、図７、図１１Ｅ、及び図１１Ｆを参照して説明する。ここで、前記図１１Ｅ及び図１１Ｆは、アンテナ１及びアンテナ２に対する各々のタイミング図である。
本実施形態において、３ｘシステムの直接拡散構造で直交伝送ダイバーシティを使用する場合には長さ２５６の拡散符号を使用するが、アンテナ１において、図７の回転器７２０から出力される拡散された符号は図１１Ｅのような構成からなる。まず、図１のシンボル反復器１６０，１６２によって反復されたシンボルのうち一番目のＩとＱ成分のシンボルが加算器７１０と７１５に各々入力されると、図１１Ｅに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔに応じて２５６チップの入力信号を回転出力させる。
【００６０】
次いで、図１のシンボル反復器１６０，１６２によって反復されたシンボルのうち二番目のＩ成分とＱ成分のシンボルが図７の加算器７１０と７１５に各々入力されると、図１１Ｅに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。
【００６１】
図１１Ｅを参照すれば、図１のシンボル反復器１６０とシンボル反復器１６２によって反復されたシンボルのうち一番目の入力シンボルが長さ２５６のウォルシ符号と長さ２５６の準直交符号の符号成分ＱＯＦｓｉｇｎと加算された後、長さ２５６の準直交符号の位相成分ＱＯＦｒｏｔによって回転される。次いで、二番目の入力シンボルも長さ２５６のウォルシ符号と長さ２５６の準直交符号の符号成分ＱＯＦｓｉｇｎと加算された後、長さ２５６の準直交符号の位相成分ＱＯＦｒｏｔによって回転される。
【００６２】
アンテナ２において、図７の回転器７２０から出力される拡散された符号は図１１Ｆのような構成からなる。まず、図１のシンボル反復器１６４，１６６によって反復されたシンボルのうち一番目のＩ成分とＱ成分のシンボルが図７の加算器７１０と７１５に各々入力されると、図１１Ｆに示すように、長さ２５６のウォルシ符号と長さ２５６の準直交数列の符号成分ＱＯＦｓｉｇｎが加算器７００で加算される。これら加算された信号は前記加算器７１０，７１５に分けて出力されてＩ成分とＱ成分のシンボルと各々加算された後、回転器７２０に出力される。すると、回転器７２０は長さ２５６の準直交符号の位相成分ＱＯＦｒｏｔに基づいて２５６チップの入力信号を回転出力させる。
【００６３】
図１のシンボル反復器１６４，１６６によって反復されたシンボルのうち二番目のＩ成分とＱ成分のシンボルは、一番目のシンボルに‘−１’をかけて反転させた反転シンボルである。前記反転シンボルが図７の加算器７１０，７１５に各々入力されると、図１１Ｆに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。
【００６４】
図１１Ｆを参照すれば、図１のシンボル反復器１６４，１６６によって反復されたシンボルのうち一番目の入力シンボルが長さ２５６のウォルシ符号と長さ２５６の準直交符号の符号成分ＱＯＦｓｉｇｎと加算された後、長さ２５６の準直交符号の位相成分ＱＯＦｒｏｔによって回転される。次いで、一番目のシンボルに‘−１’をかけて反転させた二番目のシンボルも、長さ２５６のウォルシ符号と長さ２５６の準直交符号の符号成分ＱＯＦｓｉｇｎと加算された後、長さ２５６の準直交符号の位相成分ＱＯＦｒｏｔによって回転される。
【００６５】
次いで、３ｘマルチキャリアシステムでの拡散動作について、図７及び図１１Ｇを参照して説明する。第２実施形態による３ｘマルチキャリア構造で、三つのキャリアに対する拡散器は全て長さ２５６の拡散符号を使用するが、図７の回転器７２０から出力される拡散された符号は図１１Ｇのような構成からなる。
前記図７において、ＩとＱ成分のシンボルが加算器７１０と７１５に各々入力されると、図１１Ｇに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。
【００６６】
図１１Ｇを参照すれば、一つの入力シンボルが長さ２５６のウォルシ符号と長さ２５６の準直交符号の符号成分ＱＯＦｓｉｇｎと加算された後、長さ２５６の準直交符号の位相成分ＱＯＦｒｏｔによって回転される。
【００６７】
第３実施形態
第３実施形態において、１ｘ直接拡散構造では長さ２５６の準直交符号を使用し、３ｘ直接拡散構造では長さ５１６の準直交符号を使用し、３ｘマルチキャリアシステムでは長さ２５６の準直交符号を使用する。
前記第３実施形態による３ｘ直接拡散構造では長さ５１２のマスク関数が必要とされる。従って、前記準直交数列は、本願出願人によって先出願された大韓民国特許出願番号９９−８８８号、９９−１３３９号に開示したように、１）良好なウォルシ直交符号との全体相関度性質、２）良好な準直交符号間の全体相関度性質、及び３）良好なウォルシ直交符号との部分相関度性質、を有しなければならない。また、前記準直交数列は優秀な準直交符号間の部分相関度性質も有するべきである。従って、本実施形態では前記条件を満足する優秀な性能を有する準直交符号を提供する。
【００６８】
下記の表は長さ５１２の準直交数列のマスクを示す。まず、表１及び表３は前記条件を満足する準直交符号を４進数で表したものであって、‘０’は‘１’を、‘１’は‘ｊ’を、‘２’は‘−１’を、‘３’は‘−ｊ’を各々示し、表２と表４は符号成分ＱＯＦｓｉｇｎと位相成分ＱＯＦｒｏｔとからなる極型複素数で表現された準直交符号を示すものであって、この時、位相成分は特定ウォルシ符号と同一である。従って、各信号はＷｉで示した。
【００６９】
0003599708.tif 000004
0003599708.tif 000005
【００７０】
0003599708.tif 000006
【００７１】
0003599708.tif 000007
【００７２】
0003599708.tif 000008
【００７３】
0003599708.tif 000009
0003599708.tif 000010
【００７４】
0003599708.tif 000011
【００７５】
0003599708.tif 000012
【００７６】
0003599708.tif 000013
【００７７】
0003599708.tif 000014
0003599708.tif 000015
【００７８】
0003599708.tif 000016
【００７９】
0003599708.tif 000017
【００８０】
0003599708.tif 000018
【００８１】
0003599708.tif 000019
0003599708.tif 000020
【００８２】
0003599708.tif 000021
【００８３】
0003599708.tif 000022
【００８４】
0003599708.tif 000023
【００８５】
まず、１ｘシステムの直接拡散構造で直交伝送ダイバーシティを使用しない場合の拡散動作について図７及び図１２Ａを参照して説明する。前記第３実施形態による１ｘ直接拡散構造で直交伝送ダイバーシティを使用しない場合には長さ２５６の準直交拡散符号を使用するが、図７の回転器７２０から出力される拡散された符号は図１２Ａのような構成からなる。
【００８６】
ＩとＱ成分のシンボルが図７の加算器７１０と７１５に各々入力されると、図１２Ａに示すように、長さ１２８のウォルシ符号と長さ２５６の準直交数列の符号成分ＱＯＦｓｉｇｎの前の１２８チップ部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの前の１２８チップ部分に応じて１２８チップの入力信号を回転出力させる。この過程後、その次のＩとＱ成分のシンボルが加算器７１０，７１５に各々入力されると、図１２Ａに示すように、長さ１２８のウォルシ符号と長さ２５６の準直交数列の符号成分ＱＯＦｓｉｇｎの後の１２８チップ部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８チップ部分に応じて１２８チップの入力信号を回転出力させる。
【００８７】
図１２Ａを参照すれば、一つの入力シンボルが長さ１２８のウォルシ符号と長さ２５６の準直交符号の符号成分の前の１２８部分と加算された後、長さ２５６の準直交符号の位相成分ＱＯＦｒｏｔの前の１２８部分によって回転される。次いで、その次の入力シンボルも長さ１２８のウォルシ符号と長さ２５６の準直交符号の符号成分の後の１２８部分と加算された後、長さ２５６の準直交符号の位相成分ＱＯＦｒｏｔの後の１２８部分によって回転される。
【００８８】
次いで、１ｘシステムの直接拡散構造で直交伝送ダイバーシティを使用する場合の拡散動作について図７、図１２Ｂ及び１２Ｃを参照して説明する。ここで、前記図１２Ｂ及び図１２Ｃは、アンテナ１及びアンテナ２に対する各々のタイミング図である。前記第３実施形態による１ｘ直接拡散構造で直交伝送ダイバーシティを使用する場合には長さ２５６の準直交拡散符号を使用するが、アンテナ１において、図７の回転器７２０から出力される拡散された符号は図１２Ｂのような構成からなる。
【００８９】
まず、図１のシンボル反復器１６０，１６２によって反復されたシンボルのうち一番目のＩ成分とＱ成分シンボルが図７の加算器７１０と７１５に各々入力されると、図１２Ｂに示すように、長さ１２８のウォルシ符号と長さ２５６の準直交数列の符号成分ＱＯＦｓｉｇｎの前の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの前の１２８部分に応じて１２８チップの入力信号を回転出力させる。次いで、図１のシンボル反復器１６０，１６２によって反復されたシンボルのうち二番目のＩ成分とＱ成分のシンボルも図７の加算器７１０と７１５に各々入力されると、図１２Ｂに示すように、長さ１２８のウォルシ符号と長さ２５６の準直交数列の符号成分ＱＯＦｓｉｇｎの後の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８部分に応じて１２８チップの入力信号を回転出力させる。
【００９０】
図１２Ｂを参照すれば、図１のシンボル反復器１６０とシンボル反復器１６２によって反復されたシンボルのうち一番目の入力シンボルが長さ１２８のウォルシ符号と長さ２５６の準直交符号の符号成分ＱＯＦｓｉｇｎの前の１２８部分と加算された後、長さ２５６の準直交符号の位相成分ＱＯＦｒｏｔの前の１２８部分によって回転される。次いで、二番目のシンボルも長さ１２８のウォルシ符号と長さ２５６の準直交符号の符号成分ＱＯＦｓｉｇｎの後の１２８部分と加算された後、長さ２５６の準直交符号の位相成分ＱＯＦｒｏｔの後の１２８部分によって回転される。
【００９１】
アンテナ２において、図７の回転器７２０から出力される拡散された符号は図１２Ｃのような構成からなる。まず、図１のシンボル反復器１６４，１６６によって反復されたシンボルのうち一番目のＩ成分とＱ成分のシンボルが図７の加算器７１０と７１５に各々入力されると、図１２Ｃに示すように、長さ１２８のウォルシ符号と長さ２５６の準直交数列の符号成分ＱＯＦｓｉｇｎの前の１２８部分が加算器７００で加算される。これら加算された信号は、前記加算器７１０，７１５に入力されてＩ成分とＱ成分のシンボルと各々加算された後、回転器７２０に入力される。回転器７２０は、長さ２５６の準直交符号の位相成分ＱＯＦｒｏｔの前の１２８部分に基づいて１２８チップの入力信号を回転出力させる。
【００９２】
図１のシンボル反復器１６４，１６６によって反復されたシンボルのうち二番目のＩ成分とＱ成分のシンボルは、一番目のシンボルに‘−１’をかけて反転させた反転シンボルである。前記反転シンボルが図７の加算器７１０，７１５に各々入力されると、図１２Ｃに示すように、長さ１２８のウォルシ符号と長さ２５６の準直交数列の符号成分ＱＯＦｓｉｇｎの後の１２８部分が加算器７００で加算される。これら加算された信号は加算器７１０，７１５に分けて入力されてＩ成分とＱ成分のシンボルと各々加算された後、回転器７２０に入力される。回転器７２０は長さ２５６の準直交符号の入力位相成分ＱＯＦｒｏｔの後の１２８部分に応じて１２８チップの入力信号を回転出力させる。
【００９３】
図１２Ｃを参照すれば、図１のシンボル反復器１６４とシンボル反復器１６６によって反復されたシンボルのうち一番目の入力シンボルが長さ１２８のウォルシ符号と長さ２５６の準直交符号の符号成分の前の１２８部分と加算された後、長さ２５６の準直交符号の位相成分ＱＯＦｒｏｔの前の１２８部分によって回転される。次いで、一番目のシンボルに‘−１’をかけて反転させた二番目の入力シンボルも長さ１２８のウォルシ符号と長さ２５６の準直交符号の符号成分ＱＯＦｓｉｇｎの後の１２８部分と加算された後、長さ２５６の準直交符号の位相成分ＱＯＦｒｏｔの後の１２８部分によって回転される。
【００９４】
さらに、３ｘシステムの直接拡散構造で直交伝送ダイバーシティを使用しない場合の拡散動作について図７及び図１２Ｄを参照して説明する。前記第３実施形態による３ｘ直接拡散構造で直交伝送ダイバーシティを使用しない場合には長さ５１２の準直交拡散符号を使用するが、図７の回転器７２０から出力される拡散された符号は図１２Ｄのような構成からなる。
【００９５】
まず、ＩとＱ成分のシンボルが図７の加算器７１０と７１５に各々入力されると、図１２Ｄに示すように、長さ２５６のウォルシ符号と長さ５１２の準直交数列の符号成分ＱＯＦｓｉｇｎの前の２５６チップ部分が加算器７００で加算される。これら加算された信号は加算器７１０，７１５に分けて入力されてＩ成分とＱ成分のシンボルと各々加算された後、回転器７２０に入力される。回転器７２０は長さ５１２の準直交符号の入力位相成分ＱＯＦｒｏｔの前の２５６チップ部分に応じて２５６チップの入力信号を回転出力させる。この過程後、次のＩとＱ成分のシンボルが加算器７１０，７１５に各々入力されると、図１２Ｄに示すように、長さ２５６のウォルシ符号と長さ５１２の準直交数列の符号成分ＱＯＦｓｉｇｎの後の２５６チップ部分が加算器７００で加算される。これら加算された信号は加算器７１０，７１５に分けて入力されてＩ成分とＱ成分のシンボルと各々加算された後、回転器７２０に入力される。回転器７２０は長さ５１２の準直交符号の入力位相成分ＱＯＦｒｏｔの後の２５６チップ部分に応じて２５６チップの入力信号を回転出力させる。
【００９６】
図１２Ｄを参照すれば、一つの入力シンボルが長さ２５６のウォルシ符号と長さ５１２の準直交符号の符号成分ＱＯＦｓｉｇｎの前の２５６チップ部分と加算された後、長さ５１２の準直交符号の位相成分ＱＯＦｒｏｔの前の２５６チップ部分によって回転される。そして、次の入力シンボルは長さ２５６のウォルシ符号と長さ５１２の準直交符号の符号成分ＱＯＦｓｉｇｎの後の２５６チップ部分と加算された後、長さ５１２の準直交符号の位相成分ＱＯＦｒｏｔの後の２５６チップ部分によって回転される。
【００９７】
次いで、３ｘシステムの直接拡散構造で直交伝送ダイバーシティを使用する場合の拡散動作について、図７、図１２Ｅ、及び図１２Ｆを参照して説明する。ここで、前記図１２Ｅ及び図１２Ｆは、アンテナ１及びアンテナ２に対する各々のタイミング図である。第３実施形態による３ｘシステムの直接拡散構造で直交伝送ダイバーシティを使用する場合、長さ５１２の準直交拡散符号を使用するが、アンテナ１において、図７の回転器７２０から出力される拡散された符号は図１２Ｅのような構成からなる。
【００９８】
まず、一番目のＩとＱ成分のシンボルが図７の加算器７１０と７１５に各々入力されると、図１２Ｅに示すように、長さ２５６のウォルシ符号と長さ５１２の準直交数列の符号成分ＱＯＦｓｉｇｎの前の２５６部分が加算器７００で加算される。これら加算された信号は加算器７１０，７１５に分けて入力されてＩ成分とＱ成分のシンボルと各々加算された後、回転器７２０に入力される。回転器７２０は長さ５１２の準直交符号の入力位相成分ＱＯＦｒｏｔの前の２５６チップ部分に応じて２５６チップの入力信号を回転出力させる。また、二番目のＩ成分とＱ成分シンボルが図７の加算器７１０と７１５に各々入力されると、図１２Ｅに示すように、長さ２５６のウォルシ符号と長さ５１２の準直交数列の符号成分ＱＯＦｓｉｇｎの後の２５６部分が加算器７００で加算される。これら加算された信号は加算器７１０，７１５に分けて入力されてＩ成分とＱ成分のシンボルと各々加算された後、回転器７２０に入力される。回転器７２０は長さ５１２の準直交符号の入力位相成分ＱＯＦｒｏｔの後の２５６部分に応じて２５６チップの入力信号を回転出力させる。
【００９９】
図１２Ｅを参照すれば、図１のシンボル反復器１６０とシンボル反復器１６２によって反復されたシンボルのうち一番目の入力シンボルが長さ２５６のウォルシ符号と長さ５１２の準直交符号の符号成分ＱＯＦｓｉｇｎと加算された後、長さ５１２の準直交符号の位相成分ＱＯＦｒｏｔの前の２５６部分によって回転される。次いで、二番目の入力シンボルも長さ２５６のウォルシ符号と長さ５１２の準直交符号の符号成分ＱＯＦｓｉｇｎの後の２５６部分と加算された後、長さ５１２の準直交符号の位相成分ＱＯＦｒｏｔの後の２５６部分によって回転される。
【０１００】
アンテナ２において、図７の回転器７２０から出力される拡散された符号は図１２Ｆのような構成からなる。まず、図１のシンボル反復器１６４，１６６によって反復されたシンボルのうち一番目のＩ成分とＱ成分のシンボルが図７の加算器７１０と７１５に各々入力されると、図１２Ｆに示すように、長さ２５６のウォルシ符号と長さ５１２の準直交数列の符号成分ＱＯＦｓｉｇｎの前の２５６部分が加算器７００で加算される。これら加算された信号は前記加算器７１０，７１５に分けて出力されてＩ成分とＱ成分のシンボルと各々加算された後、回転器７２０に出力される。回転器７２０は長さ５１２の準直交符号の位相成分ＱＯＦｒｏｔの前の２５６部分に基づいて２５６チップの入力信号を回転出力させる。
【０１０１】
図１のシンボル反復器１６４，１６６によって反復されたシンボルのうち二番目のＩ成分とＱ成分のシンボルは、一番目のシンボルに‘−１’をかけて反転させた反転シンボルである。前記反転シンボルが図７の加算器７１０，７１５に各々入力されると、図１２Ｆに示すように、長さ２５６のウォルシ符号と長さ５１２の準直交数列の符号成分ＱＯＦｓｉｇｎの後の２５６部分が加算器７００で加算される。これら加算された信号は加算器７１０，７１５に分けて入力されてＩ成分とＱ成分のシンボルと各々加算された後、回転器７２０に入力される。回転器７２０は長さ５１２の準直交符号の入力位相成分ＱＯＦｒｏｔの後の２５６部分に応じて２５６チップの入力信号を回転出力させる。
【０１０２】
図１２Ｆを参照すれば、図１のシンボル反復器１６４，１６６によって反復されたシンボルのうち一番目の入力シンボルが長さ２５６のウォルシ符号と長さ５１２の準直交符号の符号成分ＱＯＦｓｉｇｎの前の２５６部分と加算された後、長さ５１２の準直交符号の位相成分ＱＯＦｒｏｔの前の２５６部分によって回転される。次いで、一番目のシンボルに‘−１’をかけて反転させた二番目のシンボルも、長さ２５６のウォルシ符号と長さ５１２の準直交符号の符号成分ＱＯＦｓｉｇｎの後の２５６部分と加算された後、長さ５１２の準直交符号の位相成分ＱＯＦｒｏｔの後の２５６部分によって回転される。
【０１０３】
次いで、３ｘマルチキャリアシステムでの拡散動作について、図７及び図１２Ｇを参照して説明する。第３実施形態による３ｘマルチキャリア構造で、三つのキャリアに対する拡散器は全て長さ２５６の拡散符号を使用するが、図７の回転器７２０から出力される拡散された符号は図１２Ｇのような構成からなる。
まず、ＩとＱ成分のシンボルが図７の加算器７１０と７１５に各々入力されると、図１２Ｇに示すように、長さ２５６のウォルシ符号と長さ２５６の準直交数列の符号成分ＱＯＦｓｉｇｎが加算器７００で加算される。これら加算された信号は加算器７１０，７１５に分けて入力されてＩ成分とＱ成分のシンボルと各々加算された後、回転器７２０に入力される。すると、回転器７２０は長さ２５６の準直交符号の入力位相成分ＱＯＦｒｏｔに応じて２５６チップの入力信号を回転出力させる。
【０１０４】
図１２Ｇを参照すれば、一つの入力シンボルが長さ２５６のウォルシ符号と長さ２５６の準直交符号の符号成分ＱＯＦｓｉｇｎと加算された後、長さ２５６の準直交符号の位相成分ＱＯＦｒｏｔによって回転される。
以上、本発明を特定の実施形態を参照して詳細に説明してきたが、これらに限られるべきではなく、本発明の思想及び範囲を逸脱しない限り、当該技術分野における通常の知識を持つ者ならば多様な変更が可能であることは自明である。
【０１０５】
【発明の効果】
上述の如く、本発明の装置及び方法は、直交伝送ダイバーシティを使用する直接拡散システムとマルチキャリアシステムにおいて、拡散符号同士間の干渉を最小限に抑えられる。また、マルチキャリアシステムにおいて、特定キャリアでオーバレイが生じた場合、１ｘ使用者と３ｘ使用者間の干渉を最小化し得る。
【図面の簡単な説明】
【図１】移動通信システムで直交伝送ダイバーシティを使用する送信器の構造を示す図である。
【図２】移動通信システムで直交伝送ダイバーシティを使用する受信器の構造を示す図である。
【図３】移動通信システムで直交伝送ダイバーシティを使用しない送信器の構造を示す図である。
【図４】移動通信システムで直交伝送ダイバーシティを使用しない受信器の構造を示す図である。
【図５】３ｘ移動通信システムでマルチキャリア構造を使用する送信器の構造を示す図である。
【図６】３ｘ移動通信システムでマルチキャリア構造を使用する受信器の構造を示す図である。
【図７】本発明の実施形態による移動通信システムでの送信器及び受信器の拡散構造を示す図である。
【図８】本発明の実施形態による送信器において、図７の拡散構造での回転器を説明するための図である。
【図９】本発明の実施形態による受信器において、図７の拡散構造での回転器を説明するための図である。
【図１０Ａ】第１実施形態による直交伝送ダイバーシティを使用しない１ｘ直接拡散システムの拡散器の動作を説明するためのタイミング図である。
【図１０Ｂ】第１実施形態による直交伝送ダイバーシティを使用する１ｘ直接拡散システムのアンテナ１での拡散器の動作を説明するためのタイミング図である。
【図１０Ｃ】第１実施形態による直交伝送ダイバーシティを使用する１ｘ直接拡散システムのアンテナ２での拡散器の動作を説明するためのタイミング図である。
【図１０Ｄ】第１実施形態による直交伝送ダイバーシティを使用しない３ｘ直接拡散システムの拡散器の動作を説明するためのタイミング図である。
【図１０Ｅ】第１実施形態による直交伝送ダイバーシティを使用する３ｘ直接拡散システムのアンテナ１での拡散器の動作を説明するためのタイミング図である。
【図１０Ｆ】第１実施形態による直交伝送ダイバーシティを使用する３ｘ直接拡散システムのアンテナ２での拡散器の動作を説明するためのタイミング図である。
【図１０Ｇ】第１実施形態による直交伝送ダイバーシティを使用する３ｘマルチキャリアシステムの拡散器の動作を説明するためのタイミング図である。
【図１１Ａ】第２実施形態による直交伝送ダイバーシティを使用しない１ｘ直接拡散システムの拡散器の動作を説明するためのタイミング図である。
【図１１Ｂ】第２実施形態による直交伝送ダイバーシティを使用する１ｘ直接拡散システムのアンテナ１での拡散器の動作を説明するためのタイミング図である。
【図１１Ｃ】第２実施形態による直交伝送ダイバーシティを使用する１ｘ直接拡散システムのアンテナ２での拡散器の動作を説明するためのタイミング図である。
【図１１Ｄ】第２実施形態による直交伝送ダイバーシティを使用しない３ｘ直接拡散システムの拡散器の動作を説明するためのタイミング図である。
【図１１Ｅ】第２実施形態による直交伝送ダイバーシティを使用する３ｘ直接拡散システムのアンテナ１での拡散器の動作を説明するためのタイミング図である。
【図１１Ｆ】第２実施形態による直交伝送ダイバーシティを使用する３ｘ直接拡散システムのアンテナ２での拡散器の動作を説明するためのタイミング図である。
【図１１Ｇ】第２実施形態による直交伝送ダイバーシティを使用する３ｘマルチキャリアシステムの拡散器の動作を説明するためのタイミング図である。
【図１２Ａ】第３実施形態による直交伝送ダイバーシティを使用しない１ｘ直接拡散システムの拡散器の動作を説明するためのタイミング図である。
【図１２Ｂ】第３実施形態による直交伝送ダイバーシティを使用する１ｘ直接拡散システムのアンテナ１での拡散器の動作を説明するためのタイミング図である。
【図１２Ｃ】第３実施形態による直交伝送ダイバーシティを使用する１ｘ直接拡散システムのアンテナ２での拡散器の動作を説明するためのタイミング図である。
【図１２Ｄ】第３実施形態による直交伝送ダイバーシティを使用しない３ｘ直接拡散システムの拡散器の動作を説明するためのタイミング図である。
【図１２Ｅ】第３実施形態による直交伝送ダイバーシティを使用する３ｘ直交伝送システムのアンテナ１での拡散器の動作を説明するためのタイミング図である。
【図１２Ｆ】第３実施形態による直交伝送ダイバーシティを使用する３ｘ直接拡散システムのアンテナ２での拡散器の動作を説明するためのタイミング図である。
【図１２Ｇ】第３実施形態による直交伝送ダイバーシティを使用する３ｘマルチキャリアシステムの拡散器の動作を説明するためのタイミング図である。
【符号の説明】
１００…長符号生成器
１０５…デシメータ
１１０…チャネル符号器
１２０…加算器
１４０，１５０…マルチプレクサ
１６０，１６２，１６４，１６６…シンボル反復器
１７０，１７５…拡散器
１８０，１８５…拡散符号生成器
７００，７１０，７１５…加算器
７２０…回転器
８００，８１０、９００，９１０…選択器
８２０，９２０…インバータ
【図１】
0003599708.tif 000024
【図２】
0003599708.tif 000025
【図３】
0003599708.tif 000026
【図４】
0003599708.tif 000027
【図５】
0003599708.tif 000028
【図６】
0003599708.tif 000029
【図７】
0003599708.tif 000030
【図８】
0003599708.tif 000031
【図９】
0003599708.tif 000032
【図１０Ａ】
0003599708.tif 000033
【図１０Ｂ】
0003599708.tif 000034
【図１０Ｃ】
0003599708.tif 000035
【図１０Ｄ】
0003599708.tif 000036
【図１０Ｅ】
0003599708.tif 000037
【図１０Ｆ】
0003599708.tif 000038
【図１０Ｇ】
0003599708.tif 000039
【図１１Ａ】
0003599708.tif 000040
【図１１Ｂ】
0003599708.tif 000041
【図１１Ｃ】
0003599708.tif 000042
【図１１Ｄ】
0003599708.tif 000043
【図１１Ｅ】
0003599708.tif 000044
【図１１Ｆ】
0003599708.tif 000045
【図１１Ｇ】
0003599708.tif 000046
【図１２Ａ】
0003599708.tif 000047
【図１２Ｂ】
0003599708.tif 000048
【図１２Ｃ】
0003599708.tif 000049
【図１２Ｄ】
0003599708.tif 000050
【図１２Ｅ】
0003599708.tif 000051
【図１２Ｆ】
0003599708.tif 000052
【図１２Ｇ】
0003599708.tif 000053